(57)【特許請求の範囲】
【請求項１】
ネットワークを介して撮影転送装置が遠隔撮影制御装置からの指示に従い撮影を行う撮影システムにおいて、
前記撮影転送装置に設けられ、撮影手段によって撮影される被写体をユーザに確認させるためのファインダ画像を前記遠隔撮影制御装置に転送するファインダ画像転送手段と、
前記遠隔撮影制御装置に設けられ、前記ファインダ画像転送手段によって転送されたファインダ画像を表示するファインダ表示手段と、
前記遠隔撮影制御装置に設けられ、前記ファインダ表示手段によって表示されたファインダ画像に基づき発生された撮影指示に対応して、前記撮影転送装置へ撮影指示コマンドを送信する遠隔撮影制御手段と、
前記遠隔撮影制御装置に設けられ、前記撮影指示が発生されたときのファインダ画像から仮撮影画像を生成し、該仮撮影画像を特定する識別情報とともに記憶する仮撮影画像記憶手段と、
前記撮影転送装置に設けられ、前記撮影指示コマンドに基づき前記撮影手段によって撮影された撮影画像を、前記識別情報とともに記憶する撮影画像記憶手段と、
前記遠隔撮影制御装置に設けられ、前記仮撮影画像記憶手段によって記憶された複数の仮撮影画像のうち、指定された仮撮影画像に対応する識別情報を取り出して、該識別情報を添えて画像データ送信コマンドを前記撮影転送装置に送信する送信手段と、
前記撮影転送装置に設けられ、前記送信手段によって送信された画像データ送信コマンドに基づき、該画像データ送信コマンドに添えられた識別情報に対応する撮影画像を前記撮影画像記憶手段から読み出して、前記遠隔撮影制御装置に転送する撮影画像転送手段と、
前記遠隔撮影制御装置に設けられ、前記撮影画像転送手段によって転送された撮影画像を受け取る対応撮影画像取得手段と
を有することを特徴とする撮影システム。
【請求項２】
前記仮撮影画像記憶手段は、前記撮影指示が発生されたときのファインダ画像から仮撮影画像を生成し、該仮撮影画像を特定する識別情報とともに記憶することを特徴とする請求項１記載の撮影システム。
【請求項３】
前記仮撮影画像記憶手段は、前記撮影開始指示が発生された時点から撮影終了指示が発生された時点までのファインダ画像から仮動画撮影画像を生成し、該仮動画撮影画像を特定する識別情報とともに記憶することを特徴とする請求項１記載の撮影システム。
【請求項４】
前記遠隔撮影制御手段は、前記撮影転送装置へ撮影指示コマンドを送信する際に、該撮影指示コマンドに対応する撮影画像特定情報を前記撮影指示コマンドに付加して送信し、前記仮撮影画像記憶手段および前記撮影画像記憶手段は、前記識別情報として前記撮影画像特定情報を用いることを特徴とする請求項１記載の撮影システム。
【請求項５】
前記撮影画像特定情報は、少なくとも、撮影を指示した遠隔撮影制御装置を特定する情報と、該遠隔撮影制御装置でデータを特定する情報とからなることを特徴とする請求項４記載の撮影システム。
【請求項６】
前記撮影画像特定情報は、少なくとも、撮影を指示した撮影者を特定する情報と、撮影者ごとにデータを特定する情報とからなることを特徴とする請求項４記載の撮影システム。
【請求項７】
前記仮撮影画像記憶手段は、前記仮撮影画像が生成された現在時刻を示す情報を、前記識別情報として用いることを特徴とする請求項１記載の撮影システム。
【請求項８】
前記ファインダ画像転送手段は、ファインダ画像を、該ファインダ画像を特定するファインダ画像特定情報とともに前記遠隔撮影制御装置に転送し、
前記遠隔撮影制御手段は、前記撮影指示コマンドを送信する際に、該撮影指示コマンドに対応するファインダ画像に付与されているファインダ画像特定情報を前記撮影指示コマンドとともに送信し、
前記仮撮影画像記憶手段は、対応のファインダ画像のファインダ画像特定情報を前記識別情報として用いることを特徴とする請求項１記載の撮影システム。
【請求項９】
前記撮影転送装置が、前記遠隔撮影制御装置から送られた削除指示に基づき、内部に記録された撮影画像を削除する撮影画像削除手段をさらに有し、
前記遠隔撮影制御装置が、前記対応撮影画像取得手段によって前記転送された撮影画像が受け取られたとき、前記撮影画像削除手段に該撮影画像を削除させる遠隔撮影画像削除手段をさらに有することを特徴とする請求項１記載の撮影システム。
【請求項１０】
前記遠隔撮影制御装置が、前記対応撮影画像取得手段によって前記転送された撮影画像が受け取られたとき、前記仮撮影画像記憶手段によって記憶された該転送された撮影画像に対応する仮撮影画像を、該転送された撮影画像で置き換える撮影画像置換手段をさらに有することを特徴とする請求項１記載の撮影システム。
【請求項１１】
前記撮影転送装置が、前記遠隔撮影制御装置から送られた削除指示に基づき、内部に記録された撮影画像を削除する撮影画像削除手段をさらに有し、
前記遠隔撮影制御装置が、前記撮影画像削除手段により撮影画像が削除されたとき、該撮影画像に対応する仮撮影画像を前記仮撮影画像記憶手段から削除する仮撮影画像削除手段をさらに有することを特徴とする請求項１記載の撮影システム。
【請求項１２】
前記遠隔撮影制御装置が、
撮影画像のサムネイル及び仮撮影画像のサムネイルを一覧表示するサムネイル一覧表示手段と、
撮影画像及び仮撮影画像を表示する画像表示手段と
をさらに有することを特徴とする請求項１記載の撮影システム。
【請求項１３】
通信回線を介して互いに接続された撮影転送装置と遠隔撮影制御装置とから成り、前記撮影転送装置が前記遠隔撮影制御装置からの制御に従い撮影を行う撮影システムに適用される遠隔撮影方法において、
前記撮影転送装置が、ファインダ画像を前記遠隔撮影制御装置に転送するファインダ画像転送ステップと、
前記遠隔撮影制御装置が、前記ファインダ画像転送ステップによって転送されたファインダ画像を表示するファインダ表示ステップと、
前記遠隔撮影制御装置が、前記ファインダ表示ステップによって表示されたファインダ画像に基づき発生された撮影指示に対応して、前記撮影転送装置へ撮影指示コマンドを送信する遠隔撮影制御ステップと、
前記撮影転送装置が、前記遠隔撮影制御ステップによって送信された撮影指示コマンドに基づき、前記撮影転送装置に設けられた撮影手段に画像を撮影させる撮影制御ステップと、
前記遠隔撮影制御装置が、前記撮影指示が発生されたときのファインダ画像から仮撮影画像を生成し、該仮撮影画像を特定する識別情報とともに仮撮影画像記憶手段に格納する仮撮影画像記憶ステップと、
前記撮影転送装置が、前記撮影指示コマンドに基づき前記撮影手段によって行われた撮影によって得られた撮影画像を、前記識別情報とともに撮影画像記憶手段に格納する撮影画像記憶ステップと、
前記遠隔撮影制御装置が、前記仮撮影画像記憶手段に記憶された複数の仮撮影画像のうち、指定された仮撮影画像に対応する識別情報を取り出して、該識別情報を添えて画像データ送信コマンドを前記撮影転送装置に送信する送信ステップと、
前記撮影転送装置が、前記送信ステップによって送信された画像データ送信コマンドに基づき、該画像データ送信コマンドに添えられた識別情報に対応する撮影画像を前記撮影画像記憶手段から読み出して、前記遠隔撮影制御装置に転送する撮影画像転送ステップと、
前記遠隔撮影制御装置が、前記撮影画像転送ステップによって転送された撮影画像を受け取る対応撮影画像取得ステップと
を有することを特徴とする遠隔撮影方法。
【発明の詳細な説明】
【技術分野】
【０００１】
本発明は、ネットワークを介して互いに接続された撮影転送装置と遠隔撮影制御装置とから成る撮影システム、および該撮影システムに適用される遠隔撮影方法に関する。
【背景技術】
【０００２】
従来、ネットワークを介して互いに接続された撮影転送装置および遠隔撮影制御装置からなる撮影システムが存在する。この撮影システムでは、撮影転送装置が遠隔撮影制御装置へファインダ画像を送信し、このファインダ画像が遠隔撮影制御装置で表示される。ファインダ画像とは、確認のための表示用画像のことを指し、撮影転送装置の撮像部において撮像された画像のデータ量を落とした画像である。このファインダ画像を確認したユーザが撮影指示を遠隔撮影制御装置に対して行うと、この撮影指示が遠隔撮影制御装置から撮影転送装置へ送信され、撮影転送装置は撮影を行い、得られた撮影画像を遠隔撮影制御装置へ転送する。
【０００３】
なお、撮影画像のデータ量を落としたファインダ画像の転送は、リアルタイム性を重視したＲＴＰ（Real-time Transport Protocol）／ＵＤＰ（User Datagram Protocol）／ＩＰ（Internet Protocol）等の通信方式で実現される。また、撮影画像の転送は、通信品質を重視したＦＴＰ（File Transfer Protocol）／ＴＣＰ（Transmission Control Protocol）／ＩＰ（Internet Protocol）等の通信方式で実現される。そのため、ファインダ画像ではリアルタイム性を確保できる代わりに、画像劣化のリスクがある。一方、撮影画像では画像品質を確保できる代わりに、通信エラー時に再送が発生し、転送速度低下のリスクがある。
【０００４】
こうした構成により、この撮影システムでは、撮影操作を撮影転送装置から離れた位置において行うことが可能となる。
【０００５】
しかしながら、こうした撮影システムでは、撮影直後にデータ量の大きな撮影画像を撮影転送装置から遠隔撮影制御装置に転送している。そのため、この転送が完了するまでの間は、遠隔撮影制御装置から撮影転送装置へ次の撮影指示コマンドを送信することができず、次の撮影が可能となるまでに時間がかかるという問題がある。
【０００６】
また、この撮影システムの撮影画像の転送では、画像品質を確保するためにＦＴＰ／ＴＣＰ／ＩＰ等の通信方式が採用され、その結果、転送エラーが発生した場合には再送が行われ、これによって撮影画像転送にさらに時間がかかることになる。
【０００７】
ところで、こうした問題を解決するために、従来、撮影画像を蓄積サーバに保存する撮影システムが提案されている（例えば、特許文献１）。
【特許文献１】特開２０００−３１１２４２号公報
【発明の開示】
【発明が解決しようとする課題】
【０００８】
しかしながら、上記従来の撮影システムでは、遠隔撮影制御装置において多数の撮影画像の中から所望の画像を検索するために、この蓄積サーバに遠隔撮影制御装置を接続しなければならず、蓄積サーバに接続せずに撮影画像を検索することができなかった。
【０００９】
本発明はこのような問題点に鑑みてなされたもので、撮影直後に遠隔撮影制御装置から撮影転送装置へ次の撮影指示コマンドを速やかに送信することを可能にすることを目的とする。
【課題を解決するための手段】
【００１０】
上記目的を達成するために、請求項１記載の発明によれば、ネットワークを介して撮影転送装置が遠隔撮影制御装置からの指示に従い撮影を行う撮影システムにおいて、前記撮影転送装置に設けられ、撮影手段によって撮影される被写体をユーザに確認させるためのファインダ画像を前記遠隔撮影制御装置に転送するファインダ画像転送手段と、前記遠隔撮影制御装置に設けられ、前記ファインダ画像転送手段によって転送されたファインダ画像を表示するファインダ表示手段と、前記遠隔撮影制御装置に設けられ、前記ファインダ表示手段によって表示されたファインダ画像に基づき発生された撮影指示に対応して、前記撮影転送装置へ撮影指示コマンドを送信する遠隔撮影制御手段と、前記遠隔撮影制御装置に設けられ、前記撮影指示が発生されたときのファインダ画像から仮撮影画像を生成し、該仮撮影画像を特定する識別情報とともに記憶する仮撮影画像記憶手段と、前記撮影転送装置に設けられ、前記撮影指示コマンドに基づき前記撮影手段によって撮影された撮影画像を、前記識別情報とともに記憶する撮影画像記憶手段と、前記遠隔撮影制御装置に設けられ、前記仮撮影画像記憶手段によって記憶された複数の仮撮影画像のうち、指定された仮撮影画像に対応する識別情報を取り出して、該識別情報を添えて画像データ送信コマンドを前記撮影転送装置に送信する送信手段と、前記撮影転送装置に設けられ、前記送信手段によって送信された画像データ送信コマンドに基づき、該画像データ送信コマンドに添えられた識別情報に対応する撮影画像を前記撮影画像記憶手段から読み出して、前記遠隔撮影制御装置に転送する撮影画像転送手段と、前記遠隔撮影制御装置に設けられ、前記撮影画像転送手段によって転送された撮影画像を受け取る対応撮影画像取得手段とを有することを特徴とする撮影システムが提供される。
また、上記目的を達成するために、請求項１３記載の発明によれば、通信回線を介して互いに接続された撮影転送装置と遠隔撮影制御装置とから成り、前記撮影転送装置が前記遠隔撮影制御装置からの制御に従い撮影を行う撮影システムに適用される遠隔撮影方法において、前記撮影転送装置が、ファインダ画像を前記遠隔撮影制御装置に転送するファインダ画像転送ステップと、前記遠隔撮影制御装置が、前記ファインダ画像転送ステップによって転送されたファインダ画像を表示するファインダ表示ステップと、前記遠隔撮影制御装置が、前記ファインダ表示ステップによって表示されたファインダ画像に基づき発生された撮影指示に対応して、前記撮影転送装置へ撮影指示コマンドを送信する遠隔撮影制御ステップと、前記撮影転送装置が、前記遠隔撮影制御ステップによって送信された撮影指示コマンドに基づき、前記撮影転送装置に設けられた撮影手段に画像を撮影させる撮影制御ステップと、前記遠隔撮影制御装置が、前記撮影指示が発生されたときのファインダ画像から仮撮影画像を生成し、該仮撮影画像を特定する識別情報とともに仮撮影画像記憶手段に格納する仮撮影画像記憶ステップと、前記撮影転送装置が、前記撮影指示コマンドに基づき前記撮影手段によって行われた撮影によって得られた撮影画像を、前記識別情報とともに撮影画像記憶手段に格納する撮影画像記憶ステップと、前記遠隔撮影制御装置が、前記仮撮影画像記憶手段に記憶された複数の仮撮影画像のうち、指定された仮撮影画像に対応する識別情報を取り出して、該識別情報を添えて画像データ送信コマンドを前記撮影転送装置に送信する送信ステップと、前記撮影転送装置が、前記送信ステップによって送信された画像データ送信コマンドに基づき、該画像データ送信コマンドに添えられた識別情報に対応する撮影画像を前記撮影画像記憶手段から読み出して、前記遠隔撮影制御装置に転送する撮影画像転送ステップと、前記遠隔撮影制御装置が、前記撮影画像転送ステップによって転送された撮影画像を受け取る対応撮影画像取得ステップとを有することを特徴とする遠隔撮影方法が提供される。
【発明の効果】
【００１１】
本発明によれば、撮影直後に遠隔撮影制御装置から撮影転送装置へ次の撮影指示コマンドを速やかに送信することができ、撮影チャンスを逃すということがなくなる。
【発明を実施するための最良の形態】
【００２３】
以下、本発明を実施するための最良の形態について、図面を参照して説明する。
【００２４】
〔第１の実施の形態〕
図１は、本発明の第１の実施の形態に係る撮影システムを構成する撮影転送装置と遠隔撮影制御装置との間において行われる制御信号および画像データの送受信を示す図である。
【００２５】
本撮影システムは、撮影転送装置６１と遠隔撮影制御装置６２とで構成され、撮影転送装置６１と遠隔撮影制御装置６２とは、ネットワークを介して互いに接続される。このネットワークは無線通信回線であっても、有線通信回線であってもよい。図１に示す例では、撮影転送装置６１および遠隔撮影制御装置６２が無線アンテナ６１ｇ、６２ｆをそれぞれ備え、無線通信回線によって互いに接続されている。撮影転送装置６１は、画像撮影部と無線通信部と制御部とを備え、遠隔撮影制御装置６２は、無線通信部とユーザ入力操作受付部（操作キーやボタンなど）と画像表示部（ディスプレイ）と制御部とを備える。
【００２６】
撮影転送装置６１で生成されたファインダ画像は、ネットワークを介して遠隔撮影制御装置６２に送信され(通信６３）、画像表示部の画面６２ｂ上に表示される。
【００２７】
遠隔撮影制御装置６２において、ユーザが、画像表示部の画面６２ｂ上に表示されたファインダ画像を見ながらシャッタ操作を行うと、撮影指示コマンドが遠隔撮影制御装置６２から撮影転送装置６１に送信される(通信６４）。
【００２８】
この撮影指示コマンドを受け取った撮影転送装置６１は撮影を行い、得られた画像データを撮影転送装置６１の内部に記憶する。同時に、遠隔撮影制御装置６２では、ファインダ画像から仮撮影画像を生成し、内部に記録する。
【００２９】
その後、遠隔撮影制御装置６２において、仮撮影画像および以前に取得された撮影画像のサムネイル画像が画像表示部の画面６２ｂ上に表示される。この画面６２ｂ上に表示された仮撮影画像のサムネイル画像に対するユーザの選択を検出する。すると、この仮撮影画像に対応する撮影画像のデータを送信するように求める画像データ送信コマンドが、遠隔撮影制御装置６２からネットワークを介して撮影転送装置６１に送信される(通信６４）。これを受けた撮影転送装置６１は、内部に記憶しておいた対応の画像データを読み出して遠隔撮影制御装置６２へ送信する(通信６５）。
【００３０】
なお、ファインダ画像の転送は、リアルタイム性を重視したＲＴＰ／ＵＤＰ／ＩＰ等の通信方式で行われ、画像データの転送は、通信品質を重視したＦＴＰ／ＴＣＰ／ＩＰ等の通信方式で行われる。そのため、ファインダ画像転送では、リアルタイム性を確保できる代わりに、画像劣化のリスクがある。一方、画像データ転送では、通信品質を確保できる代わりに、エラー時の再送発生に伴い、転送速度が低下するリスクがある。
【００３１】
このように、第１の実施の形態に係る撮影システムでは、撮影操作を、撮影装置（撮影転送装置６１）から離れた場所に位置する遠隔撮影制御装置６２において行うことが可能である。それとともに、撮影転送装置６１から遠隔撮影制御装置６２に向けて撮影直後に画像データを転送する必要がないので、遠隔撮影制御装置６２における撮影画像の検索や次の撮影に対するユーザ操作が可能となる。
【００３２】
図２は、図１に示す遠隔撮影制御装置６２の制御部のハードウェア構成を示すブロック図である。
【００３３】
図２において、１は情報（データ）を入力するための入力部（ユーザ入力操作受付部）である。２はＣＰＵであり、各種処理のための演算、論理判断等を行い、バス６に接続された各構成要素を制御する。３は情報（データ）を出力するためのＬＣＤ、ＣＲＴ等からなる出力部（画像表示部）である。
【００３４】
４はプログラムメモリであり、ＣＰＵ２によって実行されるべき制御プログラムを格納するメモリである。プログラムメモリ４は、ＲＯＭであってもよいし、外部記憶装置等から制御プログラムがロードされるＲＡＭであってもよい。
【００３５】
５はデータメモリであり、ＣＰＵ２が制御プログラムを実行する際に必要なデータや、ＣＰＵ２が制御プログラムを実行することによって生じたデータを格納する。データメモリ５は、例えばＲＡＭからなる。
【００３６】
バス６では、ＣＰＵ２の制御の対象となる各構成要素を指定するためのアドレス信号、各構成要素を制御するためのコントロール信号、各構成要素間で相互にやりとりされるデータ等が転送される。
【００３７】
なお、説明は省略するが、撮影転送装置６１も、図２に示す構成と類似する構成の制御部を内蔵する。
【００３８】
図３は、撮影転送装置６１および遠隔撮影制御装置６２の各制御部のＣＰＵが制御プログラムを実行することによってそれぞれ実現される各機能を示すブロック図である。
【００３９】
図３において、撮影転送装置６１の撮像素子（ＣＣＤ）６１ａでファインダ画像として撮影された画像は、ファインダ画像転送部６１ｂにより、ネットワークを介して遠隔撮影制御装置６２に送信される。ファインダ画像とは、ユーザに被写体を簡易的に確認させるための表示用画像のことを指す。これを受信した遠隔撮影制御装置６２では、ファインダ表示部６２ａが、出力部（画像表示部）３の画面６２ｂ上にファインダ画像を表示する。なお、ファインダ画像として、リアルタイム性を重視するために、実際に撮影した撮影画像のデータ量を意図的に落とした画像を適用してもよい。
【００４０】
一方、出力部（画像表示部）３の画面６２ｂ上に表示されたファインダ画像を見ながらユーザが、遠隔撮影制御装置６２の入力部（ユーザ入力操作受付部）１に対してシャッタ操作を行う。これに応じて、遠隔撮影制御装置６２の遠隔撮影制御部６２ｃが、撮影指示コマンドをネットワークを介して撮影転送装置６１に送信する。これを受信した撮影転送装置６１では、撮影制御部６１ｃが撮影部６１ｄを制御して撮影を行わせ、得られた撮影画像は撮影画像記憶部６１ｅに記憶される。シャッタ操作に応じて遠隔撮影制御装置６２内では、仮撮影画像記憶部６２ｄが、表示中のファインダ画像から１フレーム分の静止画像である仮撮影画像を生成し、記憶する。本実施の形態では、仮撮影画像とは、１フレーム分の静止画像であり、ファインダ画像のデータ量（具体的には、画素数）を削減したサムネイル画像のことを指す。なお、仮撮影画像は、ファインダ画像のデータ量を削減しない場合においても本願発明の目的を達成することができる。
【００４１】
そして遠隔撮影制御装置６２において、この仮撮影画像および以前に取得された撮影画像のサムネイル画像が出力部（画像表示部）３の画面６２ｂ上に表示される。この画面６２ｂ上に表示された仮撮影画像としてのサムネイル画像に対するユーザの選択が検出されたとする。すると、対応撮影画像取得部６２ｅが、この仮撮影画像に対応する撮影画像のデータを送信するように求める画像データ送信コマンドを、ネットワークを介して撮影転送装置６１に送信する。これを受けた撮影転送装置６１では、撮影画像転送部６１ｆが、撮影画像記憶部６１ｅに記憶された対応の撮影画像を読み出して遠隔撮影制御装置６２へ送信する。
【００４２】
これを受けた遠隔撮影制御装置６２では、対応撮影画像取得部６２ｅが、受け取った撮影画像を、仮撮影画像記憶部６２ｄに記憶された対応の仮撮影画像と置き換える。
【００４３】
なお、撮影転送装置６１から遠隔撮影制御装置６２への撮影画像の転送時間は、画像品質を確保するために、通信状態によっては低下する恐れがある。
【００４４】
図４は、撮影転送装置６１の制御部のＣＰＵで行われる撮影転送処理の手順を示すフローチャートである。
【００４５】
ステップＳ８０１のイベント入力処理では、ユーザ操作によって発生したイベントを受け取る。
【００４６】
続くステップＳ８０２では、受け取ったイベントの種別を判別する。その結果、イベントの種別が「ファインダ画像の表示開始」であればステップＳ８０３へ進む。イベントの種別が「撮影指示コマンド」であればステップＳ８０４へ進む。イベントの種別が「撮影画像取得指示」であればステップＳ８０８へ進む。イベントの種別が「その他」であればステップＳ８１０へ進む。イベントの種別が「終了」であれば本撮影転送処理を終了する。
【００４７】
ステップＳ８０３ではファインダ画像転送処理を行い、ＣＣＤ６１ａから得られたファインダ画像を、ファインダ画像転送部６１ｂが、ネットワークを介して遠隔撮影制御装置６２に転送する。そしてステップＳ８０１に戻る。
【００４８】
ステップＳ８０４では撮影制御処理を行い、撮影制御部６１ｃが撮影部６１ｄの初期化等を行って撮影可能な状態に準備する。そしてステップＳ８０５で、撮影可能な状態となったか否かを判別する。撮影可能な状態となっていればステップＳ８０６へ進み、撮影可能な状態となっていなければステップＳ８０１へ戻る。
【００４９】
ステップＳ８０６では撮影処理を行い、撮影制御部６１ｃが撮影部６１ｄに撮影を行わせる。ステップＳ８０６では、ファインダ画像、仮撮影画像よりもデータ量が大きい（画素サイズが大きい）蓄積用の画像（本撮影画像）を取得するための処理が行われる。続くステップＳ８０７では撮影画像記憶処理を行い、ステップＳ８０６で得られた撮影画像を撮影画像記憶部６１ｅに記憶する。そしてステップＳ８０１に戻る。
【００５０】
ステップＳ８０８では撮影画像検索処理を行い、撮影画像転送部６１ｆが、遠隔撮影制御装置６２の対応撮影画像取得部６２ｅから送られた画像データ送信コマンドによって指定された撮影画像を、撮影画像記憶部６１ｅに記憶された撮影画像の中から検出する。
【００５１】
次のステップＳ８０９では撮影画像転送処理を行い、ステップＳ８０８で検出された撮影画像を撮影画像記憶部６１ｅから読み出して遠隔撮影制御装置６２へ送信する。そしてステップＳ８０１に戻る。
【００５２】
ステップＳ８１０では個別処理を行い、その他のイベントに対応した個別の処理を実行する。そしてステップＳ８０１に戻る。
【００５３】
図５は、遠隔撮影制御装置６２の制御部のＣＰＵ２で行われる遠隔撮影処理の手順を示すフローチャートである。
【００５４】
ステップＳ９０１のイベント入力処理では、遠隔撮影制御装置６２の制御部の入力部１に対して行われたユーザ操作によって発生したイベントを受け取る。
【００５５】
続くステップＳ９０２では、受け取ったイベントの種別を判別する。その結果、イベントの種別が「ファインダ画像の表示開始」であればステップＳ９０３へ進む。イベントの種別が「撮影指示コマンド」であればステップＳ９０４へ進む。イベントの種別が「撮影画像取得指示」であればステップＳ９０８へ進む。イベントの種別が「その他」であればステップＳ９０９へ進む。イベントの種別が「終了」であれば本遠隔撮影処理を終了する。
【００５６】
ステップＳ９０３のファインダ表示処理では、遠隔撮影制御装置６２のファインダ表示部６２ａが、撮影転送装置６１から転送されたファインダ画像を遠隔撮影制御装置６２の出力部（画像表示部）３の画面６２ｂ上に表示する。そしてステップＳ９０１に戻る。
【００５７】
ステップＳ９０４の遠隔撮影制御処理では、遠隔撮影制御装置６２の遠隔撮影制御部６２ｃが、ネットワークを介して撮影指示コマンドを撮影転送装置６１に送信する。続くステップＳ９０５では、撮影指示コマンドに応じて撮影転送装置６１で行われた撮影が成功したか否かを判別する。その結果、撮影が成功したならばステップＳ９０６へ進み、不成功であるならばステップＳ９０１に戻る。
【００５８】
ステップＳ９０６の仮撮影画像記憶処理では、遠隔撮影制御装置６２の仮撮影画像記憶部６２ｄが、出力部（画像表示部）３の画面６２ｂ上に表示中のファインダ画像から仮撮影画像を生成し、内部に記憶する。そしてステップＳ９０１に戻る。
【００５９】
ステップＳ９０７の対応撮影画像取得処理において、まず、出力部（画像表示部）３の画面６２ｂ上に表示されたサムネイル画像の中から仮撮影画像のサムネイル画像に対するユーザの選択が検出されたとする。すると、対応撮影画像取得部６２ｅが、この仮撮影画像に対応する撮影画像のデータを送信するように求める画像データ送信コマンドを、撮影転送装置６１へ送信する。この画像データ送信コマンドを受けた撮影転送装置６１が対応の撮影画像を遠隔撮影制御装置６２に送信する。そして遠隔撮影制御装置６２では対応撮影画像取得部６２ｅが、撮影転送装置６１から送られた撮影画像を取得する。続くステップＳ９０８の撮影画像記録処理では、対応撮影画像取得部６２ｅが、取得した撮影画像を、仮撮影画像記憶部６２ｄに記憶された対応の仮撮影画像と置き換える。そしてステップＳ９０１に戻る。
【００６０】
ステップＳ９０９の個別処理では、その他のイベントに対応した個別の処理を実行し、ステップＳ９０１に戻る。
【００６１】
図６は、遠隔撮影制御装置６２の概観構成を示す斜視図である。
【００６２】
遠隔撮影制御装置６２には、静止画の撮影指示操作を行うためのシャッタ１０１と、動画の撮影開始および終了の指示操作を行うための録画・停止スイッチ１０２とが設けられる。
【００６３】
図７は、撮影画像および仮撮影画像の各データ構造を示す図であり、（Ａ）は撮影画像を、（Ｂ）は仮撮影画像を示す。
【００６４】
撮影画像データ１１１は、撮影画像ＪＰＥＧデータ１１１ａと撮影画像特定情報１１１ｂとから構成される。撮影画像ＪＰＥＧデータ１１１ａは、例えば５００万画素の撮影画像のＪＰＥＧデータである。撮影画像特定情報１１１ｂは、撮影画像を一意に特定するための識別情報であり、撮影を指示した機器を特定する機器ＩＤと、機器内でデータを特定するデータＩＤとから構成される。例えば、機器ＩＤがＡ０３Ｂ５６であり、データＩＤが２Ｆ３５である場合、撮影画像特定情報をＡ０３Ｂ５６＿２Ｆ３５と定義する。
【００６５】
なお、撮影画像特定情報自体は、物理的に撮影画像と同一ファイルに格納されている必要は無く、所定のルールに従って特定可能な別ファイルに保存するようにしてもよい。また、図７（Ａ）に例示するように、撮影画像特定情報を撮影画像データ１１１のファイル名（Ａ０３Ｂ５６＿２Ｆ３５．ＪＰＥＧ）とするようにしてもよい。
【００６６】
一方、仮撮影画像データ１１２は、ファインダ画像ＪＰＥＧデータ１１２ａと撮影画像特定情報１１２ｂとから構成される。ファインダ画像ＪＰＥＧデータ１１２ａは、例えば６４０×４８０画素のファインダ画像のＪＰＥＧデータである。撮影画像特定情報１１２ｂは、対応の撮影画像データ１１１の撮影画像特定情報１１１ｂと同一の識別符号（Ａ０３Ｂ５６＿２Ｆ３５）とする。そして、図７（Ｂ）に例示するように、仮撮影画像データ１１２のファイル名を（Ａ０３Ｂ５６＿２Ｆ３５＿．ＪＰＥＧ）とする。
【００６７】
このように、撮影画像データ１１１の撮影画像特定情報１１１ｂと、対応する仮撮影画像データ１１２の撮影画像特定情報１１２ｂとを同一の識別符号にすることで、仮撮影画像を指定することで、対応の撮影画像を一意に特定することが可能となる。
【００６８】
図８は、図５に示す遠隔撮影制御装置６２での遠隔撮影処理におけるステップＳ９０４の遠隔撮影制御処理の詳しい内容を示すフローチャートである。
【００６９】
ステップＳ１２０１の撮影画像特定情報生成処理では、ステップＳ９０４で送信された撮影指示コマンドに応じて撮影転送装置６１で行われる撮影によって得られる撮影画像を特定するための撮影画像特定情報を生成する。
【００７０】
続くステップＳ１２０２の撮影指示処理では、生成された撮影画像特定情報を含む撮影指示コマンドを撮影転送装置６１へ送信して、本遠隔撮影制御処理を終了する。
【００７１】
図９は、図４に示す撮影転送装置６１での撮影転送処理におけるステップＳ８０７の撮影画像記憶処理の詳しい内容を示すフローチャートである。
【００７２】
ステップＳ１３０１の撮影画像特定情報埋め込み処理では、図４のステップＳ８０６で得られた撮影画像に、図８のステップＳ１２０２によって遠隔撮影制御装置６２から撮影指示コマンドとともに送信された撮影画像特定情報を埋め込む（付加する）。
【００７３】
続くステップＳ１３０２の撮影画像書き込み処理では、撮影画像特定情報が埋め込まれた撮影画像を撮影画像記憶部６１ｅに記憶して、本撮影画像記憶処理を終了する。
【００７４】
図１０は、図５に示す遠隔撮影制御装置６２での遠隔撮影処理におけるステップＳ９０６の仮撮影画像記憶処理の詳しい内容を示すフローチャートである。
【００７５】
ステップＳ１４０１の仮撮影画像生成処理では、遠隔撮影制御装置６２の仮撮影画像記憶部６２ｄが、出力部（画像表示部）３の画面６２ｂ上に表示中のファインダ画像から１フレーム分の静止画像を抽出し、画像サイズを削減することによりサムネイル画像としての仮撮影画像を生成する。
【００７６】
続くステップＳ１４０２の撮影画像特定情報埋め込み処理では、図８のステップＳ１２０１で生成された撮影画像特定情報を、ステップＳ１４０１で生成された仮撮影画像に埋め込む。
【００７７】
そしてステップＳ１４０３の仮撮影画像書き込み処理では、撮影画像特定情報が付加された仮撮影画像を、サムネイル画像として遠隔撮影制御装置６２の内部に記憶する。
【００７８】
図１１は、図５に示す遠隔撮影制御装置６２での遠隔撮影処理におけるステップＳ９０７の対応撮影画像取得処理の詳しい内容を示すフローチャートである。
【００７９】
ステップＳ１５０１の撮影画像特定情報抽出処理では、まず、遠隔撮影制御装置６２の出力部（画像表示部）３の画面６２ｂ上に表示されたサムネイル画像の中からユーザによって選択されたサムネイル画像を検出する。すると、対応撮影画像取得部６２ｅが、このサムネイル画像に対して図１０のステップＳ１４０２で埋め込まれた撮影画像特定情報を抽出する。
【００８０】
続くステップＳ１５０２の撮影画像取得指示処理では、対応撮影画像取得部６２ｅが、画像データ送信コマンドを、ステップＳ１５０１で抽出された撮影画像特定情報を添えて撮影転送装置６１へ送信し、本対応撮影画像取得処理を終了する。
【００８１】
図１２は、図４に示す撮影転送装置６１での撮影転送処理におけるステップＳ８０８の撮影画像検索処理の詳しい内容を示すフローチャートである。
【００８２】
ステップＳ１６０１の撮影画像特定情報検索処理において、撮影画像転送部６１ｆは、図１１のステップＳ１５０２で遠隔撮影制御装置６２から送られた画像データ送信コマンドに添えられた撮影画像特定情報を参照する。そして、この撮影画像特定情報によって特定される撮影画像を、撮影画像記憶部６１ｅに記憶された撮影画像の中から検出する。
【００８３】
続くステップＳ１６０２で、ステップＳ１６０１での撮影画像の検索が成功したか否かを判別する。その結果、検索が成功したと判別されたならばステップＳ１６０３へ進み、不成功だったと判別されたならば本撮影画像検索処理を終了する。
【００８４】
ステップＳ１６０３の撮影画像取得処理では、検出された撮影画像を撮影画像記憶部６１ｅから読み出して、本撮影画像検索処理を終了する。
【００８５】
以上のようにして、第１の実施の形態では、撮影直後に画像データを転送することを一切行わない。これにより、撮影直後に遠隔撮影制御装置６２から撮影転送装置６１へ次の撮影指示コマンドを即刻送信することができ、撮影チャンスを逃すということがなくなる。
【００８６】
また、撮影画像の転送では、画像品質を確保するためにＦＴＰ／ＴＣＰ／ＩＰ等の通信方式が採用され、その結果、転送エラーが発生した場合には再送が行われ、これによって撮影画像転送にさらに時間がかかることになる。ところが撮影直後に撮影画像の転送を行わないようにすることで、撮影直後にこうした時間がかからなくて済む。
【００８７】
また、遠隔撮影制御装置側で撮影転送装置から撮影画像を取得しなくても、遠隔撮影制御装置側でユーザが各種操作（検索や再生）を行うことができ、これによっても、ネットワークにかかる負荷を低減することができる。
【００８８】
また、遠隔撮影制御装置側で、撮影画像の記憶に必要なストレージ容量を低減することができる。
【００８９】
また、第１の実施の形態では、撮影指示コマンドに、撮影画像と対応の仮撮影画像とで同一な撮影画像特定情報を付加することが行われ、これによって、仮撮影画像から撮影画像を特定することが容易となる。
【００９０】
第１の実施の形態では、撮影画像が静止画である場合を説明したが、次の第２の実施の形態では、撮影画像が動画である場合を説明する。
【００９１】
〔第２の実施の形態〕
次に、本発明の第２の実施の形態を説明する。
【００９２】
第２の実施の形態の構成は、基本的に第１の実施の形態の構成と同じであるので、第２の実施の形態の説明においては、第１の実施の形態の構成と同一部分には同一の参照符号を付して、第１の実施の形態の説明を流用し、異なる部分だけを説明する。
【００９３】
第２の実施の形態では、撮影画像が動画である。
【００９４】
図１３は、第２の実施の形態における遠隔撮影制御装置６２の制御部のＣＰＵ２で行われる遠隔撮影処理の手順を示すフローチャートである。
【００９５】
ステップＳ１７０１のイベント入力処理では、遠隔撮影制御装置６２の制御部の入力部１に対して行われたユーザ操作によって発生したイベントを受け取る。
【００９６】
続くステップＳ１７０２では、受け取ったイベントの種別を判別する。その結果、イベントの種別が「ファインダ画像の表示開始」であればステップＳ１７０３へ進む。イベントの種別が「録画スイッチ操作等の撮影開始指示操作」であればステップＳ１７０４へ進む。イベントの種別が「停止スイッチ操作等の撮影終了指示操作」であればステップＳ１７０７へ進む。イベントの種別が「その他」であればステップＳ１７０９へ進む。イベントの種別が「終了」であれば本遠隔撮影処理を終了する。
【００９７】
ステップＳ１７０３のファインダ表示処理では、遠隔撮影制御装置６２のファインダ表示部６２ａが、撮影転送装置６１から転送されたファインダ画像を遠隔撮影制御装置６２の出力部（画像表示部）３の画面６２ｂ上に表示する。そしてステップＳ１７０１に戻る。
【００９８】
ステップＳ１７０４の遠隔撮影制御処理では、遠隔撮影制御装置６２の遠隔撮影制御部６２ｃが、ネットワークを介して撮影転送装置６０１に撮影開始コマンドを送信する。続くステップＳ１７０５では、撮影開始コマンドに応じて撮影転送装置６１で開始された撮影が成功しているか否かを判別する。その結果、撮影が成功していればステップＳ１７０５へ進み、不成功であるならばステップＳ１７０１に戻る。
【００９９】
ステップＳ１７０６の仮撮影画像記憶開始処理では、遠隔撮影制御装置６２の仮撮影画像記憶部６２ｄが、出力部（画像表示部）３の画面６２ｂ上に表示中のファインダ画像から仮撮影画像の生成および記憶を開始する。そしてステップＳ１７０１に戻る。
【０１００】
ステップＳ１７０７の遠隔撮影制御処理では、遠隔撮影制御装置６２の遠隔撮影制御部６２ｃが、ネットワークを介して撮影転送装置６１に撮影終了コマンドを送信する。
【０１０１】
ステップＳ１７０８の仮撮影画像記憶終了処理では、表示中のファインダ画像から仮撮影画像を生成して記憶する処理を終了し、ステップＳ１７０１に戻る。
【０１０２】
ステップＳ１７０９の個別処理では、その他のイベントに対応した個別の処理を実行し、ステップＳ１７０１に戻る。
【０１０３】
図１４は、図１３のステップＳ１７０６の仮撮影画像記憶開始処理の詳しい内容を示すフローチャートである。
【０１０４】
ステップＳ１８０１の仮動画撮影画像生成開始処理では、表示中のファインダ画像から仮動画撮影画像の生成を開始する。続くステップＳ１８０２の撮影画像特定情報埋め込み処理では、仮動画撮影画像に対応する撮影画像特定情報を仮動画撮影画像に埋め込む。そしてステップＳ１８０３の仮撮影画像書き込み開始処理では、撮影画像特定情報が付加された仮動画撮影画像を遠隔撮影制御装置６２の内部に記憶することを開始し、本仮撮影画像記憶開始処理を終了する。
【０１０５】
図１５は、図１３のステップＳ１７０８の仮撮影画像記憶終了処理の詳しい内容を示すフローチャートである。
【０１０６】
ステップＳ１９０１の仮動画撮影画像生成終了処理では、仮撮影画像としての仮動画撮影画像の生成を終了する。続くステップＳ１９０２の仮撮影画像書き込み終了処理では、仮動画撮影画像を遠隔撮影制御装置６２の内部に記憶することを終了する。
【０１０７】
更に、ステップＳ１９０３の仮撮影サムネイル生成処理では、ステップＳ１９０２で遠隔撮影制御装置６２の内部に記憶された仮動画撮影画像から１枚の静止画像である仮撮影サムネイル画像を生成し、本仮撮影画像記憶終了処理を終了する。  このようにして、撮影画像が動画である場合でも、第１の実施の形態と同様の作用効果が得られる。
【０１０８】
〔第３の実施の形態〕
次に、本発明の第３の実施の形態を説明する。
【０１０９】
第３の実施の形態の構成は、基本的に第１の実施の形態の構成と同じであるので、第３の実施の形態の説明においては、第１の実施の形態の構成と同一部分には同一の参照符号を付して、第１の実施の形態の説明を流用し、異なる部分だけを説明する。
【０１１０】
第１の実施の形態では、撮影画像特定情報が機器ＩＤとデータＩＤとから構成され、こうした撮影画像特定情報が含まれる撮影指示コマンドが、遠隔撮影制御装置６２から撮影転送装置６１へ送信される場合について説明した。これに対して、第３の実施の形態では、撮影画像特定情報がユーザＩＤとデータＩＤとから構成され、こうした撮影画像特定情報が含まれる撮影指示コマンドが、遠隔撮影制御装置６２から撮影転送装置６１へ送信される。
【０１１１】
図１６は、第３の実施の形態における撮影画像および仮撮影画像の各データ構造を示す図であり、（Ａ）は撮影画像を、（Ｂ）は仮撮影画像を示す。
【０１１２】
撮影画像データ２０１は、撮影画像ＪＰＥＧデータ２０１ａと撮影画像特定情報２０１ｂとから構成される。撮影画像ＪＰＥＧデータ２０１ａは、例えば５００万画素の撮影画像のＪＰＥＧデータである。撮影画像特定情報２０１ｂは、撮影画像を一意に特定するための識別情報であり、撮影を指示したユーザ（撮影者）を特定するユーザＩＤと、ユーザごとにデータを特定するデータＩＤとから構成される。例えば、ユーザＩＤがｔａｒｏであり、データＩＤが２Ｆ３５である場合、撮影画像特定情報をｔａｒｏ＿２Ｆ３５と定義する。
【０１１３】
なお、撮影画像特定情報自体は、物理的に撮影画像と同一ファイルに格納されている必要は無く、所定のルールに従って特定可能な別ファイルに保存するようにしてもよい。また、図１６（Ａ）に例示するように、撮影画像特定情報を撮影画像データ２０１のファイル名（ｔａｒｏ＿２Ｆ３５．ＪＰＥＧ）とするようにしてもよい。
【０１１４】
一方、仮撮影画像データ２０２は、サムネイルＪＰＥＧデータ２０２ａと撮影画像特定情報２０２ｂとから構成される。サムネイルＪＰＥＧデータ２０２ａは、例えば１６０×１２０画素のサムネイル画像のＪＰＥＧデータである。撮影画像特定情報２０２ｂは、対応の撮影画像データ２０１の撮影画像特定情報２０１ｂと同一の識別符号（ｔａｒｏ＿２Ｆ３５）とする。そして、図１６（Ｂ）に例示するように、仮撮影画像データ２０２のファイル名を（ｔａｒｏ＿２Ｆ３５．ｔｈｍ）とする。
【０１１５】
このように、撮影画像データ２０１の撮影画像特定情報２０１ｂと、対応する仮撮影画像データ２０２の撮影画像特定情報２０２ｂとを同一の識別符号にすることで、仮撮影画像を指定することで、対応の撮影画像を一意に特定することが可能となる。
【０１１６】
このように第３の実施の形態では、撮影画像特定情報をユーザＩＤとデータＩＤとから構成する。これによって、同一ユーザが複数の遠隔撮影制御装置を使って撮影操作を行った場合でも、第１の実施の形態における撮影システムで得られる作用効果と同一の作用効果を得ることができる。例えば、ユーザＩＤを用いたアクセス制御等を、複数機器共通で容易に実現できる。
【０１１７】
〔第４の実施の形態〕
次に、本発明の第４の実施の形態を説明する。
【０１１８】
第４の実施の形態の構成は、基本的に第１の実施の形態の構成と同じであるので、第４の実施の形態の説明においては、第１の実施の形態の構成と同一部分には同一の参照符号を付して、第１の実施の形態の説明を流用し、異なる部分だけを説明する。
【０１１９】
第１の実施の形態では、撮影画像特定情報として機器ＩＤとデータＩＤとから構成された情報を用いたが、第４の実施の形態では、撮影画像特定情報として現在時刻情報を用いるようにする。
【０１２０】
図１７は、第４の実施の形態における遠隔撮影制御装置６２での遠隔撮影処理に含まれる仮撮影画像記憶処理（図５のステップＳ９０６に相当）の詳しい内容を示すフローチャートである。
【０１２１】
ステップＳ２１０１の仮撮影画像生成処理では、遠隔撮影制御装置６２の仮撮影画像記憶部６２ｄが、出力部（画像表示部）３の画面６２ｂ上に表示中のファインダ画像から仮撮影画像を生成する。
【０１２２】
続くステップＳ２１０２の時刻埋め込み処理では、現在時刻を示す現在時刻情報を、ステップＳ２１０１で生成された仮撮影画像に埋め込む。
【０１２３】
そしてステップＳ２１０３の仮撮影画像書き込み処理では、現在時刻情報が付加された仮撮影画像を、遠隔撮影制御装置６２の内部に記憶する。
【０１２４】
図１８は、第４の実施の形態における遠隔撮影制御装置６２での遠隔撮影処理に含まれる対応撮影画像取得処理（図５のステップＳ９０７に相当）の詳しい内容を示すフローチャートである。
【０１２５】
まず、遠隔撮影制御装置６２の出力部（画像表示部）３の画面６２ｂ上に表示されたサムネイル画像の中から仮撮影画像のサムネイル画像がユーザによって選択される。すると、ステップＳ２２０１の時刻抽出処理において、対応撮影画像取得部６２ｅが、このサムネイル画像に対応する仮撮影画像に対して図１７のステップＳ２１０２で埋め込まれた現在時刻情報を抽出する。
【０１２６】
続くステップＳ２２０２の撮影画像取得指示処理では、対応撮影画像取得部６２ｅが、画像データ送信コマンドを、ステップＳ２２０１で抽出された現在時刻情報を添えて撮影転送装置６１へ送信し、本対応撮影画像取得処理を終了する。
【０１２７】
図１９は、第４の実施の形態における撮影転送装置６１での撮影転送処理に含まれる撮影画像検索処理（図４のステップＳ８０８に相当）の詳しい内容を示すフローチャートである。なお、撮影転送装置６１での撮影転送処理に含まれる撮影画像記憶処理（図４のステップＳ８０７に相当）では、ステップＳ８０６で得られた撮影画像を撮影画像記憶部６１ｅに記憶する際に、該撮影画像が撮影された撮影時刻を一緒に記憶する。
【０１２８】
ステップＳ２３０１の時刻補正処理では、図１８のステップＳ２２０２で遠隔撮影制御装置６２から送信された画像データ送信コマンドに添えられた現在時刻情報を取り出す。そして、取り出された現在時刻情報に対して、撮影転送装置６１が備える時計と遠隔撮影制御装置６２が備える時計との時刻ずれ分だけ補正する。すなわち、撮影転送装置６１が備える時計の時刻を標準として、取り出された現在時刻情報を補正する。
【０１２９】
続くステップＳ２３０３の時間帯検索処理では、ステップＳ２３０１で補正された現在時刻情報が示す時刻を中心に所定の時間幅を持たせた時間帯を作成する。そして、該時間帯内に撮影時刻が含まれる撮影画像を、撮影画像記憶部６１ｅにおいて検索する。撮影画像記憶部６１ｅには、上述のように、撮影時刻がそれぞれ付加された撮影画像が記憶されている。
【０１３０】
続くステップＳ２３０３で、該当の撮影画像が検出されたか否かを判別する。その結果、検出されたならばステップＳ２３０４へ進み、検出されなければ本撮影画像検索処理を終了する。
【０１３１】
ステップＳ２３０４の撮影画像取得処理では、検出された撮影画像を撮影画像記憶部６１ｅから読み出して、本撮影画像検索処理を終了する。
【０１３２】
このように、第４の実施の形態では、撮影時点で、撮影画像特定情報を遠隔撮影制御装置６２から撮影転送装置６１へ撮影指示コマンドとともに送信することを行わなくとも、第１の実施の形態と同じ作用効果を得ることができる。
【０１３３】
〔第５の実施の形態〕
次に、本発明の第５の実施の形態を説明する。
【０１３４】
第５の実施の形態の構成は、基本的に第１の実施の形態の構成と同じであるので、第５の実施の形態の説明においては、第１の実施の形態の構成と同一部分には同一の参照符号を付して、第１の実施の形態の説明を流用し、異なる部分だけを説明する。
【０１３５】
第５の実施の形態では、撮影転送装置６１から遠隔撮影制御装置６２へファインダ画像を送信する際、該ファインダ画像にファインダ画像特定情報を付加するようにする。なお、ファインダ画像特定情報としては、撮影転送装置６１によるファインダ画像の送信時の現在時刻を示す現在時刻情報を用いる。そして、撮影時点で、遠隔撮影制御装置６２から撮影転送装置６１へ撮影指示コマンドとともにファインダ画像特定情報を送信し、撮影転送装置６１では、撮影画像にこのファインダ画像特定情報を埋め込むようにする。
【０１３６】
図２０は、第５の実施の形態における撮影転送装置６１での撮影転送処理に含まれるファインダ画像転送処理（図４のステップＳ８０３に相当）の詳しい内容を示すフローチャートである。
【０１３７】
ステップＳ２４０１のファインダ画像生成処理では、ＣＣＤ６１ａから得られた映像情報からファインダ画像を生成する。
【０１３８】
続くステップＳ２４０２の時刻埋め込み処理では、ステップＳ２４０１で生成されたファインダ画像に現在時刻情報を埋め込む。
【０１３９】
ステップＳ２４０３のファインダ画像送信処理では、ファインダ画像転送部６１ｂが、現在時刻情報が埋め込まれたファインダ画像を、ネットワークを介して遠隔撮影制御装置６２に転送する。そして、本ファインダ画像転送処理を終了する。
【０１４０】
図２１は、第５の実施の形態における遠隔撮影制御装置６２での遠隔撮影処理に含まれる仮撮影画像記憶処理（図５のステップＳ９０６に相当）の詳しい内容を示すフローチャートである。
【０１４１】
ステップＳ２５０１の仮撮影画像生成処理では、遠隔撮影制御装置６２の仮撮影画像記憶部６２ｄが、出力部（画像表示部）３の画面６２ｂ上に表示中のファインダ画像から仮撮影画像を生成する。
【０１４２】
続くステップＳ２５０２のファインダ時刻埋め込み処理では、ファインダ画像に埋め込まれた現在時刻情報を取り出し、この現在時刻情報を、ステップＳ２５０１で生成された仮撮影画像に埋め込む。
【０１４３】
そしてステップＳ２５０３の仮撮影画像書き込み処理では、現在時刻情報が付加された仮撮影画像を、サムネイル画像として遠隔撮影制御装置６２の内部に記憶する。
【０１４４】
図２２は、第５の実施の形態における撮影転送装置６１での撮影転送処理に含まれる撮影画像検索処理（図４のステップＳ８０８に相当）の詳しい内容を示すフローチャートである。
【０１４５】
第５の実施の形態では、図１１のステップＳ１５０２の撮影画像取得指示処理において、対応撮影画像取得部６２ｅが、画像データ送信コマンドに、ユーザに指定された仮撮影サムネイルに対応する現在時刻情報を添えて撮影転送装置６１へ送信する。
【０１４６】
そこで、ステップＳ２６０１の時刻検索処理では、ステップＳ１５０２で送信された画像データ送信コマンドに添えられた現在時刻情報を取り出す。そしてこの現在時刻情報と同一の現在時刻情報が予め埋め込まれた撮影画像を、撮影画像記憶部６１ｅに記憶された撮影画像の中から検出する。
【０１４７】
なお、第５の実施の形態では、予め遠隔撮影制御装置６２から撮影指示コマンドとともに現在時刻情報が送信されている。そして第５の実施の形態における撮影転送装置６１での撮影画像記憶処理（図４のステップＳ８０７）では、図４のステップＳ８０６で得られた撮影画像に、撮影指示コマンドとともに送信された現在時刻情報を埋め込んで撮影画像記憶部６１ｅに記憶されている。
【０１４８】
ステップＳ２６０２では、ステップＳ２６０１で該当の撮影画像が検出されたか否かを判別し、検出されたならばステップＳ２６０３へ進み、検出されなければ本撮影画像検索処理を終了する。
【０１４９】
ステップＳ２６０３の撮影画像取得処理では、検出された撮影画像が撮影画像記憶部６１ｅから読み出され、本撮影画像検索処理を終了する。
【０１５０】
このように、第５の実施の形態では、撮影転送装置６１において行われる撮影画像検索処理（図２２）における撮影画像検索対象が、撮影転送装置６１自身でファインダ画像に付与した現在時刻である。そのため、第４の実施の形態のような時刻補正処理（図１９のステップＳ２３０１）や、所定の時間幅をもった時間帯を作成して検索を行う時間帯検索処理（図１９のステップＳ２３０２）が不要である。
【０１５１】
かくして、第５の実施の形態でも、撮影時点で、撮影画像特定情報を遠隔撮影制御装置６２から撮影転送装置６１へ撮影指示コマンドとともに送信することを行わなくとも、第１の実施の形態と同じ作用効果を得ることができる。
【０１５２】
〔第６の実施の形態〕
次に、本発明の第６の実施の形態を説明する。
【０１５３】
第６の実施の形態の構成は、基本的に第１の実施の形態の構成と同じであるので、第６の実施の形態の説明においては、第１の実施の形態の構成と同一部分には同一の参照符号を付して、第１の実施の形態の説明を流用し、異なる部分だけを説明する。
【０１５４】
第６の実施の形態では、遠隔撮影制御装置６２が撮影転送装置６１から撮影画像を取得した後、撮影転送装置６１内に記憶された撮影画像を削除し、遠隔撮影制御装置６２内に記憶された仮撮影画像を撮影画像で置換する。
【０１５５】
図２３は、第６の実施の形態における撮影転送装置６１の制御部のＣＰＵで行われる撮影転送処理の手順を示すフローチャートである。
【０１５６】
ステップＳ２７０１のイベント入力処理では、ユーザ操作によって発生したイベントを受け取る。
【０１５７】
続くステップＳ２７０２では、受け取ったイベントの種別を判別する。その結果、イベントの種別が「ファインダ画像の表示開始」であればステップＳ２７０３へ進む。イベントの種別が「撮影指示コマンド」であればステップＳ２７０４へ進む。イベントの種別が「撮影画像削除指示」であればステップＳ２７０８へ進む。イベントの種別が「その他」であればステップＳ２７１０へ進む。イベントの種別が「終了」であれば本撮影転送処理を終了する。
【０１５８】
ステップＳ２７０３ではファインダ画像転送処理を行い、ＣＣＤ６１ａから得られたファインダ画像を、ファインダ画像転送部６１ｂが、ネットワークを介して遠隔撮影制御装置６２に転送する。そしてステップＳ２７０１に戻る。
【０１５９】
ステップＳ２７０４では撮影制御処理を行い、撮影制御部６１ｃが撮影部６１ｄの初期化等を行って撮影可能な状態に準備する。そしてステップＳ２７０５で、撮影可能な状態となったか否かを判別する。撮影可能な状態となっていればステップＳ２７０６へ進み、撮影可能な状態となっていなければステップＳ２７０１へ戻る。
【０１６０】
ステップＳ２７０６では撮影処理を行い、撮影制御部６１ｃが撮影部６１ｄに撮影を行わせる。続くステップＳ２７０７では撮影画像記憶処理を行い、ステップＳ２７０６で得られた撮影画像を撮影画像記憶部６１ｅに記憶する。そしてステップＳ２７０１に戻る。
【０１６１】
ステップＳ２７０８では撮影画像検索処理を行い、撮影画像転送部６１ｆが、遠隔撮影制御装置６２の対応撮影画像取得部６２ｅから送られた画像データ送信コマンドによって指定された撮影画像を、撮影画像記憶部６１ｅに記憶された撮影画像の中から検出する。
【０１６２】
次のステップＳ２７０９では撮影画像削除処理を行い、ステップＳ２７０８で検出された撮影画像を撮影画像記憶部６１ｅから削除する。そしてステップＳ２７０１に戻る。
【０１６３】
ステップＳ２７１０では個別処理を行い、その他のイベントに対応した個別の処理を実行する。そしてステップＳ２７０１に戻る。
【０１６４】
なお、第６の実施の形態における遠隔撮影制御装置６２で行われる遠隔撮影処理は、図５に示す第１の実施の形態における遠隔撮影制御装置６２で行われる遠隔撮影処理と基本的に同一である。
【０１６５】
図２４は、第６の実施の形態における遠隔撮影制御装置６２での遠隔撮影処理における対応撮影画像取得処理（図５のステップＳ９０７に相当）の詳しい内容を示すフローチャートである。
【０１６６】
ステップＳ２８０１の撮影画像特定情報抽出処理では、まず、遠隔撮影制御装置６２の出力部（画像表示部）３の画面６２ｂ上に表示されたサムネイル画像の中から１つのサムネイル画像がユーザによって選択される。その選択を検出すると、対応撮影画像取得部６２ｅが、このサムネイル画像に対して埋め込まれた撮影画像特定情報を抽出する。
【０１６７】
続くステップＳ２８０２の撮影画像取得指示処理では、対応撮影画像取得部６２ｅが、画像データ送信コマンドを、ステップＳ２８０１で抽出された撮影画像特定情報を添えて撮影転送装置６１へ送信する。
【０１６８】
画像データ送信コマンドを受信した撮影転送装置６１では、画像データ送信コマンドに添えられた撮影画像特定情報に対応する撮影画像を撮影画像記憶部６１ｅから取得し、遠隔撮影制御装置６２へ転送する。ステップＳ２８０３では、この撮影画像の取得が成功したか否かを判別し、成功したならばステップＳ２８０４へ進み、成功しなければ対応撮影画像取得処理を終了する。
【０１６９】
ステップＳ２８０４の遠隔撮影画像削除処理では、撮影転送装置６１の撮影画像記憶部６１ｅから当該撮影画像を削除し、対応撮影画像取得処理を終了する。
【０１７０】
図２５は、第６の実施の形態における遠隔撮影制御装置６２での遠隔撮影処理における撮影画像記憶処理（図５のステップＳ９０８に相当）の詳しい内容を示すフローチャートである。
【０１７１】
ステップＳ２９０１の撮影画像置換処理では、撮影転送装置６１から、画像データ送信コマンドに添えられた撮影画像特定情報に対応する撮影画像が転送されるので、この撮影画像を、遠隔撮影制御装置６２に記憶されている対応の仮撮影画像（サムネイル画像）と置換する。
【０１７２】
ステップＳ２９０２の撮影サムネイル画像生成処理では、この置換された撮影画像を基に新たに仮撮影画像としてのサムネイル画像を生成する。
【０１７３】
このように、第６の実施の形態では、遠隔撮影制御装置６２が撮影転送装置６１から撮影画像を取得した後、撮影転送装置６１内の対応する撮影画像を削除し、また遠隔撮影制御装置６２内の対応する仮撮影画像及び仮撮影サムネイルを削除する。これにより、遠隔撮影制御装置６２および撮影転送装置６１においてそれぞれ、記憶すべきデータ量を低減することができる。
【０１７４】
〔第７の実施の形態〕
次に、本発明の第７の実施の形態を説明する。
【０１７５】
第７の実施の形態の構成は、基本的に第１の実施の形態の構成と同じであるので、第７の実施の形態の説明においては、第１の実施の形態の構成と同一部分には同一の参照符号を付して、第１の実施の形態の説明を流用し、異なる部分だけを説明する。
【０１７６】
第７の実施の形態では、遠隔撮影制御装置６２内に記憶された仮撮影画像が削除された場合、この削除に連動して撮影転送装置６１内に記憶された撮影画像を削除することが行われる。
【０１７７】
図２６は、第７の実施の形態における遠隔撮影制御装置６２の制御部のＣＰＵ２で行われる遠隔撮影処理の手順を示すフローチャートである。
【０１７８】
ステップＳ３００１のイベント入力処理では、遠隔撮影制御装置６２の制御部の入力部１に対して行われたユーザ操作によって発生したイベントを受け取る。
【０１７９】
続くステップＳ３００２では、受け取ったイベントの種別を判別する。その結果、イベントの種別が「ファインダ画像の表示開始」であればステップＳ３００３へ進む。イベントの種別が「撮影指示コマンド」であればステップＳ３００４へ進む。イベントの種別が「撮影画像削除指示」であればステップＳ３００７へ進む。イベントの種別が「その他」であればステップＳ３０１０へ進む。イベントの種別が「終了」であれば本遠隔撮影処理を終了する。
【０１８０】
ステップＳ３００３のファインダ表示処理では、遠隔撮影制御装置６２のファインダ表示部６２ａが、撮影転送装置６１から転送されたファインダ画像を遠隔撮影制御装置６２の出力部（画像表示部）３の画面６２ｂ上に表示する。そしてステップＳ３００１に戻る。
【０１８１】
ステップＳ３００４の遠隔撮影制御処理では、遠隔撮影制御装置６２の遠隔撮影制御部６２ｃが、ネットワークを介して撮影指示コマンドを撮影転送装置６１に送信する。続くステップＳ３００５では、撮影指示コマンドに応じて撮影転送装置６１で行われた撮影が成功したか否かを判別する。その結果、撮影が成功したならばステップＳ３００６へ進み、不成功であるならばステップＳ３００１に戻る。
【０１８２】
ステップＳ３００６の仮撮影画像記憶処理では、遠隔撮影制御装置６２の仮撮影画像記憶部６２ｄが、出力部（画像表示部）３の画面６２ｂ上に表示中のファインダ画像から仮撮影画像を生成し、内部に記憶する。そしてステップＳ３００１に戻る。
【０１８３】
ステップＳ３００７の遠隔撮影画像削除処理において、出力部（画像表示部）３の画面６２ｂ上に表示されたサムネイル画像の中から仮撮影画像のサムネイル画像がユーザによって選択され削除指示の入力を検出する。すると、この仮撮影画像に対応する撮影画像のデータを削除するように求める画像データ削除コマンドを、撮影転送装置６１へ送信する。この画像データ削除コマンドを受けた撮影転送装置６１が対応の撮影画像を記憶部から削除する。
【０１８４】
続くステップＳ３００８では、撮影転送装置６１での撮影画像の削除が成功したか否かを判別する。成功したならばステップＳ３００９へ進み、成功しなければステップＳ３００１へ戻る。
【０１８５】
ステップＳ３００９の仮撮影画像削除処理では、ステップＳ３００７で削除対象とされた撮像画像に対応する仮撮影画像を仮撮影画像記憶部６２ｄから削除する。そしてステップＳ３００１に戻る。
【０１８６】
ステップＳ３０１０の個別処理では、その他のイベントに対応した個別の処理を実行し、ステップＳ３００１に戻る。
【０１８７】
このように、第７の実施の形態では、遠隔撮影制御装置６２内に記憶された仮撮影画像の削除が行われた場合、この削除に連動して、撮影転送装置６１内の不要となる対応の撮影画像を削除することが行われ、撮影画像の無駄な記憶が回避される。
【０１８８】
〔第８の実施の形態〕
次に、本発明の第８の実施の形態を説明する。
【０１８９】
第８の実施の形態の構成は、基本的に第１の実施の形態の構成と同じであるので、第８の実施の形態の説明においては、第１の実施の形態の構成と同一部分には同一の参照符号を付して、第１の実施の形態の説明を流用し、異なる部分だけを説明する。
【０１９０】
第８の実施の形態では、遠隔撮影制御装置６２で行われる各種画像の表示処理を説明する。
【０１９１】
図２７は、第８の実施の形態における遠隔撮影制御装置６２の制御部のＣＰＵ２で行われる各種画像の表示処理の手順を示すフローチャートである。
【０１９２】
ステップＳ３１０１のイベント入力処理では、遠隔撮影制御装置６２の制御部の入力部１に対して行われたユーザ操作によって発生したイベントを受け取る。
【０１９３】
続くステップＳ３１０２では、受け取ったイベントの種別を判別する。その結果、イベントの種別が「ファインダ画像の表示開始」であればステップＳ３１０３へ進む。イベントの種別が「一覧表示指示」であればステップＳ３１０４へ進む。イベントの種別が「撮影画像表示指示」であればステップＳ３１０５へ進む。イベントの種別が「その他」であればステップＳ３１０６へ進む。イベントの種別が「終了」であれば本画像表示処理を終了する。
【０１９４】
ステップＳ３１０３のファインダ表示処理では、遠隔撮影制御装置６２のファインダ表示部６２ａが、撮影転送装置６１から転送されたファインダ画像を遠隔撮影制御装置６２の出力部（画像表示部）３の画面６２ｂ上に表示する。そしてステップＳ３１０１に戻る。
【０１９５】
ステップＳ３１０４のサムネイル一覧表示処理では、一覧表示対象の撮影画像のサムネイルを一覧表示し、ステップＳ３１０１に戻る。
【０１９６】
ステップＳ３１０５の画像表示処理では、表示対象の撮影画像を表示し、ステップＳ３１０１に戻る。
【０１９７】
ステップＳ３１０６の個別処理では、その他のイベントに対応した個別の処理を実行し、ステップＳ３１０１に戻る。
【０１９８】
図２８は、図２７に示す遠隔撮影制御装置６２での画像表示処理におけるステップＳ３１０４のサムネイル一覧表示処理の詳しい内容を示すフローチャートである。
【０１９９】
ステップＳ３２０１の一覧対象データ取得処理では、一覧表示の対象となるデータ群を取得する。続くステップＳ３２０２では、この取得されたデータ群の先頭を処理対象とする初期化を行う。続くステップＳ３２０３では、データ群のすべてに対してサムネイル表示処理を実行し終えているか否かを判別し、実行し終えているならば本サムネイル一覧表示処理を終了し、実行し終えていないならばステップＳ３２０４へ進む。
【０２００】
ステップＳ３２０４のサムネイル表示処理では、処理対象のデータを基にサムネイル画像を表示する。続くステップＳ３２０５では、処理対象のデータが仮撮影画像のデータであるか否かを判断する。仮撮影画像のデータであるならばステップＳ３２０６へ進み、処理対象のデータが撮影画像のデータであるならばステップＳ３２０３へ戻る。
【０２０１】
ステップＳ３２０６の仮撮影画像マーク表示処理では、図２９に示すような「置換」というマークをサムネイル画像の上にオーバーレイ表示する。このマークは、仮撮影画像から作成されたサムネイル画像であり、遠隔撮影制御装置６２が撮影画像をまだ取得していないことを示すマークである。
【０２０２】
図２９は、第８の実施の形態において遠隔撮影制御装置６２の画像表示部の画面６２ｂ上に表示される一覧画面の一例を示す図である。
【０２０３】
この一覧画面では、６つのサムネイル画像３４１〜３４６が表示され、そのうちサムネイル画像３４２、３４６が、仮撮影画像から作成されたサムネイル画像であり、マーク「置換」がオーバーレイ表示されている。なお、仮撮影画像から作成されるサムネイル画像は、撮影画像から生成されるサムネイル画像より画像品質が劣る。
【０２０４】
図２８に戻って、ステップＳ３２０７では、処理対象を次のデータに進め、ステップＳ３２０３に戻る。
【０２０５】
図３０は、図２７に示す遠隔撮影制御装置６２での画像表示処理におけるステップＳ３１０５の画像表示処理の詳しい内容を示すフローチャートである。
【０２０６】
ステップＳ３３０１の表示対象データ取得処理では、表示対象となる画像データを取得する。続くステップＳ３３０２の表示処理では、取得した画像データに基づき表示を行う。
【０２０７】
ステップＳ３３０３では、表示された画像が仮撮影画像であるか否かを判断する。その結果、仮撮影画像であるならばステップＳ３３０４へ進み、撮影画像であるならば本画像表示処理を終了する。
【０２０８】
ステップＳ３３０４の仮撮影画像マーク表示処理では、図３１に示すような「置換」というマークを仮撮影画像の上にオーバーレイ表示し、本画像表示処理を終了する。このマークは、ファインダ画像から作成された仮撮影画像であり、遠隔撮影制御装置６２が撮影画像をまだ取得していないことを示すマークである。
【０２０９】
図３１は、第８の実施の形態において遠隔撮影制御装置６２の画像表示部の画面６２ｂ上に表示される仮撮影画像を示す図である。
【０２１０】
このように、第８の実施の形態では、遠隔撮影制御装置６２の画像表示部の画面６２ｂ上に表示される撮影画像と仮撮影画像とがユーザに区別して表示され、これによって、仮撮影画像を見たユーザが、対応の撮影画像の取得を容易に指示することができる。
以上のように、撮影直後に画像データを転送することを一切行わない。これにより、撮影直後に遠隔撮影制御装置から撮影転送装置へ次の撮影指示コマンドを即刻送信することができ、撮影チャンスを逃すということがなくなる。
また、撮影画像の転送では、画像品質を確保するためにＦＴＰ／ＴＣＰ／ＩＰ等の通信方式が採用され、その結果、転送エラーが発生した場合には再送が行われ、これによって撮影画像転送にさらに時間がかかることになるが、撮影直後に撮影画像の転送を行わないようにすることで、撮影直後にこうした時間がかからなくて済む。
また、遠隔撮影制御装置側で撮影転送装置から撮影画像を取得しなくても、遠隔撮影制御装置側でユーザが各種操作（検索や再生）を行うことができ、これによっても、ネットワークにかかる負荷を低減することができる。
また、遠隔撮影制御装置側で、撮影画像の記憶に必要なストレージ容量を低減することができる。
また、撮影指示コマンドに、撮影画像と対応の仮撮影画像とで同一な撮影画像特定情報を付加することによって、仮撮影画像から撮影画像を特定することが容易となる。さらに、撮影画像を特定するための撮影画像特定情報を仮撮影画像（ファインダ画像）に含める必要が無いため、ファインダ画像表示のリアルタイム性が損なわれることがない。
また、撮影画像が動画である場合でも、同様の効果が得られる。
また、例えば、撮影者特定情報（ユーザＩＤ）を含む撮影画像特定情報（識別情報）を用いることで、同一ユーザ（撮影者）が複数の遠隔撮影制御装置を使って撮影転送装置を操作することもできる。
また、現在時刻を撮影画像特定情報（識別情報）として用いることで、撮影時点で撮影画像特定情報を遠隔撮影制御装置から撮影転送装置へ送信する必要がなくなる。
また、ファインダ画像にファインダ画像特定情報を付与することで、撮影時点で撮影画像特定情報を遠隔撮影制御装置から撮影転送装置へ送信する必要がなくなる。
また、撮影画像の取得後、撮影転送装置内の対応する撮影画像を削除し、遠隔撮影制御装置内の仮撮影画像及び仮撮影サムネイルを削除することで、それぞれの記憶装置で記憶領域を無駄に使うことを回避できる。
また、遠隔撮影制御装置内の仮撮影画像の削除に連動して、不要となる撮影転送装置内の対応する撮影画像を削除することで、撮影転送装置内の記憶装置で記憶領域を無駄に使うことを回避できる。
また、遠隔撮影制御装置内の表示装置に表示される撮影画像と仮撮影画像とを明確に区別して表示することができ、これにより、仮撮影画像から撮影画像の取得を容易に指示することができる。
【０２１１】
〔他の実施の形態〕
また、本発明の目的は、前述した各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【０２１２】
この場合、記憶媒体から読み出されたプログラムコード自体が前述した各実施の形態の機能を実現することになり、そのプログラムコード及び該プログラムコードを記憶した記憶媒体は本発明を構成することになる。
【０２１３】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【０２１４】
また、コンピュータが読み出したプログラムコードを実行することにより、前述した各実施の形態の機能が実現されるだけではなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【０２１５】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって前述した各実施の形態の機能が実現される場合も含まれる。
【図面の簡単な説明】
【０２１６】
【図１】本発明の第１の実施の形態に係る撮影システムを構成する撮影転送装置と遠隔撮影制御装置との間において行われる制御信号および画像データの送受信を示す図である。
【図２】図１に示す遠隔撮影制御装置の制御部のハードウェア構成を示すブロック図である。
【図３】撮影転送装置および遠隔撮影制御装置の各制御部のＣＰＵが制御プログラムを実行することによってそれぞれ実現される各機能を示すブロック図である。
【図４】撮影転送装置の制御部のＣＰＵで行われる撮影転送処理の手順を示すフローチャートである。
【図５】遠隔撮影制御装置の制御部のＣＰＵで行われる遠隔撮影処理の手順を示すフローチャートである。
【図６】遠隔撮影制御装置の概観構成を示す斜視図である。
【図７】撮影画像および仮撮影画像の各データ構造を示す図である。
【図８】図５に示す遠隔撮影制御装置での遠隔撮影処理におけるステップＳ９０４の遠隔撮影制御処理の詳しい内容を示すフローチャートである。
【図９】図４に示す撮影転送装置での撮影転送処理におけるステップＳ８０７の撮影画像記憶処理の詳しい内容を示すフローチャートである。
【図１０】図５に示す遠隔撮影制御装置での遠隔撮影処理におけるステップＳ９０６の仮撮影画像記憶処理の詳しい内容を示すフローチャートである。
【図１１】図５に示す遠隔撮影制御装置での遠隔撮影処理におけるステップＳ９０７の対応撮影画像取得処理の詳しい内容を示すフローチャートである。
【図１２】図４に示す撮影転送装置での撮影転送処理におけるステップＳ８０８の撮影画像検索処理の詳しい内容を示すフローチャートである。
【図１３】第２の実施の形態における遠隔撮影制御装置の制御部のＣＰＵで行われる遠隔撮影処理の手順を示すフローチャートである。
【図１４】図１３のステップＳ１７０６の仮撮影画像記憶開始処理の詳しい内容を示すフローチャートである。
【図１５】図１３のステップＳ１７０８の仮撮影画像記憶終了処理の詳しい内容を示すフローチャートである。
【図１６】第３の実施の形態における撮影画像および仮撮影画像の各データ構造を示す図である。
【図１７】第４の実施の形態における遠隔撮影制御装置での遠隔撮影処理に含まれる仮撮影画像記憶処理（図５のステップＳ９０６に相当）の詳しい内容を示すフローチャートである。
【図１８】第４の実施の形態における遠隔撮影制御装置での遠隔撮影処理に含まれる対応撮影画像取得処理（図５のステップＳ９０７に相当）の詳しい内容を示すフローチャートである。
【図１９】第４の実施の形態における撮影転送装置での撮影転送処理に含まれる撮影画像検索処理（図４のステップＳ８０８に相当）の詳しい内容を示すフローチャートである。
【図２０】第５の実施の形態における撮影転送装置での撮影転送処理に含まれるファインダ画像転送処理（図４のステップＳ８０３に相当）の詳しい内容を示すフローチャートである。
【図２１】第５の実施の形態における遠隔撮影制御装置での遠隔撮影処理に含まれる仮撮影画像記憶処理（図５のステップＳ９０６に相当）の詳しい内容を示すフローチャートである。
【図２２】第５の実施の形態における撮影転送装置での撮影転送処理に含まれる撮影画像検索処理（図４のステップＳ８０８に相当）の詳しい内容を示すフローチャートである。
【図２３】第６の実施の形態における撮影転送装置の制御部のＣＰＵで行われる撮影転送処理の手順を示すフローチャートである。
【図２４】第６の実施の形態における遠隔撮影制御装置での遠隔撮影処理における対応撮影画像取得処理（図５のステップＳ９０７に相当）の詳しい内容を示すフローチャートである。
【図２５】第６の実施の形態における遠隔撮影制御装置での遠隔撮影処理における撮影画像記憶処理（図５のステップＳ９０８に相当）の詳しい内容を示すフローチャートである。
【図２６】第７の実施の形態における遠隔撮影制御装置の制御部のＣＰＵで行われる遠隔撮影処理の手順を示すフローチャートである。
【図２７】第８の実施の形態における遠隔撮影制御装置の制御部のＣＰＵで行われる各種画像の表示処理の手順を示すフローチャートである。
【図２８】図２７に示す遠隔撮影制御装置での画像表示処理におけるステップＳ３１０４のサムネイル一覧表示処理の詳しい内容を示すフローチャートである。
【図２９】第８の実施の形態において遠隔撮影制御装置の画像表示部の画面上に表示される一覧画面の一例を示す図である。
【図３０】図２７に示す遠隔撮影制御装置での画像表示処理におけるステップＳ３１０５の画像表示処理の詳しい内容を示すフローチャートである。
【図３１】第８の実施の形態において遠隔撮影制御装置の画像表示部の画面上に表示される仮撮影画像を示す図である。
【符号の説明】
【０２１７】
１  入力部（ユーザ入力操作受付部）
２  ＣＰＵ
３  出力部（画像表示部）
４  プログラムメモリ
５  データメモリ
６  バス
６１  撮影転送装置
６１ａ  撮像素子（ＣＣＤ）
６１ｂ  ファインダ画像転送部（ファインダ画像転送手段）
６１ｃ  撮影制御部
６１ｄ  撮影部（撮影手段）
６１ｅ  撮影画像記憶部（撮影画像記憶手段）
６１ｆ  撮影画像転送部（撮影画像転送手段）
６１ｇ  無線アンテナ
６２  遠隔撮影制御装置
６２ａ  ファインダ表示部（ファインダ表示手段）
６２ｂ  出力部（画像表示部）の画面
６２ｃ  遠隔撮影制御部（遠隔撮影制御手段）
６２ｄ  仮撮影画像記憶部（仮撮影画像記憶手段）
６２ｅ  対応撮影画像取得部（対応撮影画像要求手段、対応撮影画像取得手段）
６２ｆ  無線アンテナ
６３〜６５  通信（ネットワーク）
【図１】
0004603982.tif 000002
【図２】
0004603982.tif 000003
【図３】
0004603982.tif 000004
【図４】
0004603982.tif 000005
【図５】
0004603982.tif 000006
【図６】
0004603982.tif 000007
【図７】
0004603982.tif 000008
【図８】
0004603982.tif 000009
【図９】
0004603982.tif 000010
【図１０】
0004603982.tif 000011
【図１１】
0004603982.tif 000012
【図１２】
0004603982.tif 000013
【図１３】
0004603982.tif 000014
【図１４】
0004603982.tif 000015
【図１５】
0004603982.tif 000016
【図１６】
0004603982.tif 000017
【図１７】
0004603982.tif 000018
【図１８】
0004603982.tif 000019
【図１９】
0004603982.tif 000020
【図２０】
0004603982.tif 000021
【図２１】
0004603982.tif 000022
【図２２】
0004603982.tif 000023
【図２３】
0004603982.tif 000024
【図２４】
0004603982.tif 000025
【図２５】
0004603982.tif 000026
【図２６】
0004603982.tif 000027
【図２７】
0004603982.tif 000028
【図２８】
0004603982.tif 000029
【図２９】
0004603982.tif 000030
【図３０】
0004603982.tif 000031
【図３１】
0004603982.tif 000032